【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
システムにアクセスするのに使用できるコードを提供する装置であって、
出力装置と、
第１のアプリケーションプログラムを用いて前記システムへのアクセスを求める個人の生体測定（バイオメトリック)の特性を表わす情報を処理し、第２のアプリケーションプログラムを用いて前記システムにより与えられる情報を処理し、そしてその処理結果に基づき、前記システムにアクセスするのに使用できるコードを前記出力装置に提供する、少なくとも１つのプロセッサと、
前記アプリケーションプログラムの少なくとも１つを記憶する書き換え可能な不揮発性のメモリと、
前記個人の生体測定の特性を感知し、且つ前記第１のアプリケーションプログラムによって使用される前記個人の生体測定の特性をあらわす情報を提供するセンサと、
第１の入力装置であって、これを用いることで前記システムによって提供される情報を前記出力装置への入力とすることができる当該第１の入力装置と、
第２の入力装置であって、これを用いることで少なくとも１つのアプリケーションプログラム、若しくはその変更、又はその両方を前記メモリの記憶デバイスへの入力とすることができる当該第２の入力装置と、
を備えた装置。
【請求項２】
前記少なくとも１つのプロセッサの条件が、前記生体測定の特性を表わす情報と、記憶された生体測定情報との間の相関に関する前記コードを前記出力装置に与える、請求項１に記載の装置。
【請求項３】
前記少なくとも１つのプロセッサは、前記生体測定特性を表わす情報と前記記憶された生体測定情報との間の相関又は非相関を決定する、請求項２に記載の装置。
【請求項４】
前記メモリは、前記記憶された生体測定情報を記憶する、請求項２に記載の装置。
【請求項５】
システムにアクセスするのに使用できるコードを提供するポータブル装置であって、
少なくとも１つのセンサであって、これを用いることで前記システムによって提供される前記情報、及び第１のアプリケーションプログラム又は第２のアプリケーションプログラム、若しくはその両方、又はそれの変更を前記ポータブル装置へ無線で入力することができる当該センサと、
前記システムへのアクセスを求める個人の生体測定の特性をあらわす生体情報を取得するための生物測定センサと、
出力装置と、
第１のアプリケーションプログラムを用いて前記生体測定の情報を処理し、且つ第２のアプリケーションプログラムを用いて前記システムから受信した前記情報を処理し、そしてその処理結果に基づきアクセスコードを前記出力装置に提供する少なくとも１つのプロセッサと、
前記第１のアプリケーションプログラム又は前記第２のアプリケーションプログラム、又はその両方を記憶する書き換え可能な不揮発性のメモリと、
を備えたポータブル装置。
【請求項６】
前記少なくとも１つのセンサが光検出器（フォトセンサ）を含む、請求項５に記載の装置。
【請求項７】
前記少なくとも１つのセンサが複数のフォトセンサを備え、これらフォトセンサの少なくとも１つは赤外線センサであり、そしてこれらフォトセンサの少なくとも１つの他のものは可視スペクトルセンサである、請求項５に記載の装置。
【請求項８】
前記出力装置はディスプレイである、請求項５に記載の装置。
【請求項９】
システムにアクセスするのに使用できるコードを与えるポータブル装置であって、
第１のセンサであって、これにより前記情報が前記システムによって提供される当該第１のセンサと、
第２のセンサであって、これを用いることで少なくとも１つのアプリケーションプログラム、若しくはそれの変更、又はその両方を前記ポータブル装置へ無線で入力することができる第２の入力装置と、
前記システムへのアクセスを求める個人の生体測定の特性を表わす生体測定情報を取得するための生体測定センサと、
前記第１のセンサ及び前記生体測定センサから受信した情報を処理し、そして前記処理の結果に基づき前記コードを与える少なくとも１つのプロセッサと、
前記第１のセンサ、第２のセンサ、前記生体測定センサ、及び前記プロセッサを支持する共通のハウジングと、
を備えたポータブル装置。
【請求項１０】
前記ハウジングは、個人を識別するための手段に関連した少なくとも１つの表面(surface)を含む、請求項９に記載の装置。
【請求項１１】
前記手段は、人間が読み取れる(human readable)装置及び写真の少なくとも一方を含む、請求項１０に記載の装置。
【請求項１２】
前記手段は、マシン読み取り可能なコード(machine readable coding)を含む、請求項１０に記載の装置。
【請求項１３】
前記手段は、電子装置を含む、請求項１０に記載の装置。
【請求項１４】
システムにアクセスするのに使用するコードを与える方法であって、この方法は、アクセス装置により実行され、そして、
第１のアプリケーションプログラムを用いて、前記アクセス装置に関連した生体測定センサから受信した生体測定情報を処理し、その受信した生体測定情報と、記憶された生体測定情報との間の相関を確立するステップと、
前記相関が相関基準を満足する場合、第２のアプリケーションプログラムを用いて、前記システムにアクセスするのに使用できるアクセスコードを前記ポータブルアクセス装置の出力装置に提供するステップであって、前記アクセスコードが、前記システムによって提供される情報を使用して決定される該ステップと、
前記相関が相関基準を満足しない場合には、前記システムにアクセスするのに使用できるコードを前記出力装置に提供しないステップと、
前記少なくとも１つのアプリケーションプログラムを、前記アクセス装置に関連した書き換え可能な不揮発性のメモリに記憶するステップと、
前記システムによって提供された情報を、第１の入力装置で受信するステップと、
前記少なくとも１つのアプリケーションプログラム若しくはそれの変更、又はその両方を第２の入力装置で受信するステップと、
を備えた方法。
【請求項１５】
前記アクセスコードは、セッション特有のものである、請求項１４に記載の方法。
【請求項１６】
システムにアクセスするのに使用するコードを提供する方法であって、この方法は、プロセッサ、信号センサ及び生体測定センサを備えたアクセス装置により実行され、そして、
アクセスされる前記システムに関連した信号ジェネレータから前記信号センサによって受信された信号を処理して、前記システムへのアクセスを求める個人が一次エントリーステーションを使用して前記システムへのアクセスを試みていることを示す情報を前記システムが受信したかどうか決定するステップと、
前記個人が一次エントリーステーションを使用して前記システムへのアクセスを試みていることが決定された場合、前記アクセス装置の生体測定センサから受信したどんな生体測定情報にも関わりなく、前記システムにアクセスするのに使用できるアクセスコードを前記アクセス装置の出力装置へ提供するステップと、
前記個人が一次エントリーステーションを使用して前記システムへのアクセスを試みていないことが決定された場合には、前記生体測定センサから受信した生体測定情報及び記憶された生体測定情報により相関基準が満足されると決定されたときだけ、前記システムにアクセスするのに使用できるアクセスコードを前記出力装置に提供するステップと、
を備えた方法。
【請求項１７】
前記アクセスコードは、セッション特有のものである、請求項１６に記載の方法。
【請求項１８】
前記第２の入力装置を含み、且つ前記装置によって処理される情報のオペレーションに関係する情報を出力する、入力／出力装置を備えた請求項１に記載の装置。
【請求項１９】
前記入力／出力装置がトランシーバーを含む請求項１８に記載の装置。
【請求項２０】
前記トランシーバーが光学トランシーバーを含む請求項１８に記載の装置。
【請求項２１】
前記光学トランシーバーが赤外線トランシーバーを含む請求項２０に記載の装置。
【請求項２２】
前記第１の入力装置が無線入力装置を含む請求項１に記載の装置。
【請求項２３】
前記第１の入力装置が光学入力装置を含む請求項１に記載の装置。
【請求項２４】
前記第１の入力装置が光検出器（フォトセンサ）を含む請求項１に記載の装置。
【請求項２５】
システムにアクセスするのに使用できるコードを与える装置であって、
出力装置と、
第１のアプリケーションプログラムを用いて前記システムへのアクセスを求める個人の生体測定（バイオメトリック)の特性を表わす情報を処理し、第２のアプリケーションプログラムを用いて前記システムにより与えられた情報を処理し、そしてその処理結果に基づき、前記システムにアクセスするのに使用できるコードを前記出力装置に提供する、少なくとも１つのプロセッサと、
前記個人の生体測定の特性を感知し、前記第１のアプリケーションプログラムによって使用される前記個人の生体測定の特性をあらわす情報を提供するセンサと、
前記システムにより与えられる変調可視光信号を受信する光学入力装置と、
前記システムにより与えられた情報を提供するため、前記光学入力装置により与えられた前記変調光信号からの信号をデコード(decode)するプロセッサと、
を備えた装置。
【請求項２６】
前記可視光は、マンチェスタ符号(Manchester code)に従って変調され、そして前記プロセッサはそのマンチェスタ符号をデコードする、請求項２５に記載の装置。
【請求項２７】
コンピュータシステムを含むシステムにアクセスするのに使用するコードを提供する方法であって、この方法は、出力装置、プロセッサ、信号センサ及び生体測定センサを備えたアクセス装置により実行され、そして、
前記システムに関連する認証機能を用いて、一次入力装置(primary entry station)から前記システムへのアクセスを試みることに応えて、前記システムへのアクセスを許可し、
そうでなければ、前記試みに応えて、
アクセスされる前記システムに関連する信号ジェネレータからの信号を前記信号センサによって受信し、
前記受信した信号に基づき、前記アクセスコードを生成し、
前記生体測定センサにより受信された、前記システムにアクセスを試みる個人からの生体測定情報と、記憶された生体測定情報との間の相関基準が決定されるときのみ、前記出力装置に前記アクセスコードを提供する、
ことを含む方法。
【請求項２８】
前記認証機能は、ユーザ名、パスワード、又はその両方を有するシステムログイン(system log-in)を含む、請求項２７に記載の方法。